(57)【要約】【課題】弾性変形の回復スピードを上げるようにして、飛距離を伸ばすことのできるバットを課題とする。【解決手段】中空筒体２からなる金属製バット１において、打球部３の中空筒体２内の長さ方向の先端側と手元側の両端に、バットの内径と略同じ外径の金属製、合成樹脂製、木製、竹製又はコルク製からなる剛性補強材５Ｆ，５Ｂを嵌挿した金属製バット１を構成するものである。【選択図】図１
2006068044.tif 000002
【特許請求の範囲】
【請求項１】
中空筒体からなる金属製バットにおいて、打球部の中空筒体内の長さ方向の先端側と手元側の両端に、バットの内径と略同じ外径を有する金属製、合成樹脂製、木製、竹製又はコルク製からなる剛性補強材を嵌挿したことを特徴とする金属製バット。
【請求項２】
剛性補強材が、球状、柱状、板状、ド−ナツ状又は筒状からなる請求項１記載の金属製バット。
【請求項３】
剛性補強材が、３個以上嵌挿した請求項１または請求項２記載の金属製バット。  
【請求項４】
先端側の剛性補強材が、キャップからなる請求項１ないし請求項３のいずれかに記載の金属製バット。
【請求項５】
嵌挿が、圧入後接着・螺子止めとした請求項１ないし請求項４のいずれかに記載の金属製バット。
【発明の詳細な説明】
【技術分野】
【０００１】
本発明は、ボ−ルの飛距離を伸ばすようにした金属製バットに関するものである。
【背景技術】
【０００２】
中空筒体からなる金属製バットは、打球の瞬間にバットの断面が楕円状に撓むので、この弾性変形の撓みを、早く元の形状に回復させるようにすれば、飛距離を伸ばすことができる。そのために、打球部内に剛性補強材を内挿させて、回復スピ−ドを上げるようにすることが望ましい。
【０００３】
打球部の中空筒体内に内装材を入れたバットは、先行技術が数多く出願されている。例えば特許文献１や特許文献２は、打球部の中空筒体内に補強管を内装して、反発特性を改善しようとしている。
【特許文献１】特開平１１−１３７７５２号公報
【特許文献２】特開平１０−３１４３５３号公報
【０００４】
また特許文献３は、打球部の中空筒体内に金属管を嵌入し、スエージングにより縮径加工して、強度と弾発力を向上させるようにしている。
【特許文献３】特開平０７−２９９１７０号公報
【０００５】
更に特許文献４は、打球部の中空筒体内に管状インサートを含み、その間にエラストマ材料を充填している。
【特許文献４】特開２００２−０５２１０８号公報
【０００６】
そして特許文献５は、打球部の中空筒体内に剛性の芯材と、芯材に周設して発泡ポリウレタン層を被覆する保護層を内装させて、打球音を低くしている。
【特許文献５】特開平０７−２７５４１３号公報
【０００７】
更にまた特許文献６は、打球部の中空筒体内にハニカム状の発泡アルミニウム体を充填して、衝撃波を緩衝させるようにしている。
【特許文献６】特開平０８−３３６６２７号公報
【０００８】
そしてまた特許文献７は、打球部の中空筒体内に外周面に複数の羽根を放射状に備えた芯パイプを内蔵させて飛距離を伸ばすようにしている。
【特許文献７】特開平０６−２２５９５２号公報
【０００９】
一方特許文献８と特許文献９は、打球部の中空筒体内にリブを突設し内管を固着させ、弾性変形の回復スピードを上げるようにしている。
【特許文献８】特開平０５−０２３４０７号公報
【特許文献９】特開平０５−０１５６２４号公報
【００１０】
また特許文献１０は、打球部の中空筒体内に内装する内装物の両端にリングを嵌合している。しかしリングは、内装物が移動しないようにしたものである。
【特許文献１０】特開平１１−２７６６５２号公報
【００１１】
一方更に特許文献１１は、打球部の中空筒体内の両端に、内装物を充填したバットが開示されている。しかし内装物は、軟質ポリウレタンフォーム屑を接着剤で固化した可撓性のボ−ド等からなる消音材であって、剛性補強材ではない。
【特許文献１１】特開平０６−１２６３５９号公報
【発明の開示】
【発明が解決しようとする課題】
【００１２】
上記の事情に鑑み、本発明は、弾性変形の回復スピードを上げるようにして、飛距離を伸ばすことのできるバットの提供を課題とする。
【課題を解決するための手段】
【００１３】
本発明は上記目的を達成するために、中空筒体からなる金属製バットにおいて、打球部の中空筒体内の長さ方向の先端側と手元側の両端に、バットの内径と略同じ外径の金属製、合成樹脂製、木製、竹製又はコルク製からなる剛性補強材を嵌挿した金属製バットを構成するものである。
【発明の効果】
【００１４】
本発明のバットで打球すると、弾性変形の回復スピ−ドが上がり、飛距離を伸ばすことのできるようになった。
【００１５】
本発明のバットで打球すると、打球部の手元側にも剛性補強材を入れているため、グリップ部の衝撃が緩和されるようになった。
【発明を実施するための最良の形態】
【００１６】
以下、本発明の金属製バットを、図面に基づいて詳細に説明する。
【００１７】
図１は、本発明のバットの一例を示す断面図である。図２は、本発明に使用される剛性補強材で、（イ）は球状の形状からなる剛性補強材の斜視図、（ロ）は柱状の形状からなる剛性補強材の斜視図、（ハ）は板状の形状からなる剛性補強材の斜視図、（ニ）はドーナツ状の形状からなる剛性補強材の斜視図、（ホ）は筒状の形状からなる剛性補強材の斜視図である。図３は本発明の実施例１における剛性補強材とその周辺の寸法関係を示すした説明図である。
【００１８】
図１において、１は金属製バットで、２はその中空筒体であり、３が平行な太径からなる打球部で、４がキャップである。本発明の金属製バット１は、打球部３の中空筒体２内の長さ方向の先端側Ｆと手元側Ｂの両端に、バットの内径と略同じ外径の金属製または合成樹脂製からなる剛性補強材５Ｆ，５Ｂを嵌挿するようにしたものである。
【００１９】
即ち、本発明の補強材５Ｆ，５Ｂは、金属製または合成樹脂製であり、剛性のものに限られる。従って合成樹脂は、硬質合成樹脂のみである。また、補強材５Ｆ，５Ｂは、木製、竹製又はコルク製であってもよい。
【００２０】
本発明の剛性補強材５Ｆ．５Ｂは、図２（イ）に示すような球状１５、図２（ロ）に示すような柱状２５、図２（ハ）に示すような板状３５、図２（ニ）に示すようなドーナツ状４５、図２（ホ）に示すような筒状５５のそれぞれの形状とすることもできる。即ち適用するバットの製品重量やバランスにより、適した素材や形状が選択される。
【００２１】
また先端側の剛性補強材５Ｆは、キャップ４を兼用またはキャップ４にて代用するようにしてもよい。剛性補強材は、打球部の中空筒体内の長さ方向の先端側と手元側との間に、バットの内径と略同じ外径を有するものを３個以上嵌挿してもよい。
【００２２】
剛性補強材５Ｆ，５Ｂは、油圧によって嵌挿させることもできるが、外径に接着剤を塗布しておき、圧入後にバットの内径に接着させることもできる。あるいは図示を省略するが、剛性補強材５Ｆ，５Ｂの外径とバットの内径に螺子を刻設しておき、螺子止めとすることもできる。
【実施例１】
【００２３】
図３は、本発明の実施例１における剛性補強材とその周辺の寸法関係を示すした説明図である。
【００２４】
ソフトボールには、ゴムボールと皮ボールがあるが、実施例１は、皮ボール対応商品である。バットの全長は８４ｃｍで、バットの外径Ｏは５７ｍｍφ、打球部の肉厚Ｔは１．９ｍｍなので、内径Ｉは５３．２ｍｍφである。
【００２５】
これに対して、本実施例のアルミパイプからなる剛性補強材６５は、外径ｏが５２．８ｍｍφ、肉厚ｔが１．６ｍｍ、長さｌが５５ｍｍからなるアルミパイプの両端をスピニング加工によって塞いだ、中空の卵型（アキュムレータ型）の形状からなっている。この剛性補強材６５を、外周に接着剤を塗布して、矢印Ａの方向に油圧によって所定の位置まで嵌挿する。この際、バットの内径Ｉが５３．２ｍｍφに対して、剛性補強材６５の外径Ｏが５２．８ｍｍφであってバットの内径と略同じ外径である。０．４ｍｍ差は、先端が解放状態のバットは真円ではないので、接着剤６６によって隙間ができることはない。
【００２６】
剛性補強材６５，６５を、図１のように、打球部の中空筒体内の長さ方向の先端側と手元側の両端に圧入して接着６６後、先端に樹脂製のキャップを填めてバットの試作品を完成させた。
【００２７】
このバットの試作品を使用して、一人が軽く投げたボールを他方で打者Ａ，Ｂ，Ｃが同じように打つというトスバッティング方式により、中空筒体からなる金属製バットにおいて、剛性補強材を嵌挿しない普通品バットと対比して、打球の飛距離を測定した。
【００２８】
次の表１は、１種類のバットで、夫々２０球を打って飛距離を測定し、飛距離の大きい方と小さい方からそれぞれ２つのデータを削除した１６の数値を平均して測定値としたものである。
【００２９】
【表１】
2006068044.tif 000003
【００３０】
表１のように、本発明品バットは、平均して１０％近く飛距離をアップさせることができた。
【産業上の利用可能性】
【００３１】
本発明品のバットは、実施例の如きソフトボール用のバットに限らず、軟式や硬式用のバットにも、広く利用しうるものである。
【図面の簡単な説明】
【００３２】
【図１】本発明のバットの一例を示す断面図である。
【図２】本発明に使用される剛性補強材で、（イ）は球状の形状からなる剛性補強材の斜視図、（ロ）は柱状の形状からなる剛性補強材の斜視図、（ハ）は板状の形状からなる剛性補強材の斜視図、（ニ）はドーナツ状の形状からなる剛性補強材の斜視図、（ホ）は筒状の形状からなる剛性補強材の斜視図である。
【図３】本発明の実施例１における剛性補強材とその周辺の寸法関係を示すした説明図である。
【符号の説明】
【００３３】
１          金属製バット
２          中空筒体
３          打球部
４          キャップ
５Ｂ，５Ｆ  剛性補強材
１５        球状の剛性補強材
２５        柱状の剛性補強材
３５        板状の剛性補強材
４５        ドーナツ状の剛性補強材
５５        筒状の剛性補強材
６５        実施例１の剛性補強材
６６        接着剤
Ａ          圧入の方向
Ｉ 
打球部の内径
ｌ          剛性補強材の長さ
Ｏ          バットの外径
ｏ          剛性補強材の外径
Ｔ          打球部の肉厚
ｔ          剛性補強材の肉厚
【図１】
2006068044.tif 000004
【図２】
2006068044.tif 000005
【図３】
2006068044.tif 000006